(57)【特許請求の範囲】
【請求項１】
積層される複数のコネクタハウジング同士を連結するコネクタの連結構造であって、
前記コネクタハウジングのうちいずれか一方のコネクタハウジングの一面側から突設された壁部の先端に拡大された頭部が形成され該頭部の壁部側にテーパ部を有する第１係合突起と、一方のコネクタハウジングの一面側に対向する他方のコネクタハウジングの他面側に設けられて前記コネクタハウジング同士が積層された状態で前記テーパ部が係止する第１係止部とからなる第１の連結手段と、
コネクタハウジングのいずれか一方の一面側に設けられて鉤部を有する第２係合突起と、コネクタハウジングのいずれか一方の一面側に対向する他方のコネクタハウジングの他面側に設けられてコネクタハウジング同士が積層された状態で前記鉤部が係止され係合方向に対して直交する係止面を有する第２係止部とからなる第２の連結手段とを備え、
前記第１の連結手段と前記第２の連結手段とが隣接した状態で前記コネクタハウジングの前端側及び後端側にそれぞれ設けられ、
コネクタハウジングの前端側の第１の連結手段はコネクタハウジングの幅方向に沿って長く形成され、前端側の第２の連結手段は前記第１の連結手段の幅方向の両側部に形成され、コネクタハウジングの後端側の第１の連結手段と後端側の第２の連結手段はコネクタハウジングの長さ方向に沿って長く形成されていることを特徴とするコネクタの連結構造。
【発明の詳細な説明】
【０００１】
【発明の属する技術分野】
本発明は、積層された複数のコネクタハウジング同士を連結するコネクタの連結構造に関する。
【０００２】
【従来の技術】
従来のコネクタの連結構造としては、例えば実開平４−９６９７６号公報に図８に示すものが開示されている。
【０００３】
図８に示すように、電線１０１〜１０７の接続部に被せた各ジョイントボックス１０９，１１１，１１３を連結するためにそれぞれの一方の合わせ面にはアリ溝１１５が設けられ、他方の合わせ面にはこれにはまり合う凸部１１７が設けられている。アリ溝１１５の断面形状は口元の幅が狭く、溝底の幅が広く、溝の側壁が傾斜面に形成されている。これに対して凸部１１７の断面形状は、先端部が幅広に基端部が幅狭に形成され、溝１１５に対応した形状に形成されている。
【０００４】
そして、凸部１１７を溝１１５の長手方向に沿って挿入することにより、ジョイントボックス１０９，１１１、１１３同士ががたつきなく連結される。
【０００５】
【発明が解決しようとする課題】
ところが、このような構成では、連結されたジョイントボックス１０９，１１１，１１３を引き剥がすような外力が加わったとき、アリ溝１１５と凸部１１７の幅方向への三角形状の張り出し部の強度が不足しているので、連結の保持力が弱く、連結部が外れ易いという問題がある。
【０００６】
そこで、本発明は、連結されたコネクタハウジング同士をがたつきなく強固に保持することができるコネクタの連結構造の提供を目的とする。
【０００７】
【課題を解決するための手段】
上記課題を解決するために、請求項１に記載の発明は、積層される複数のコネクタハウジング同士を連結するコネクタの連結構造であって、前記コネクタハウジングのうちいずれか一方のコネクタハウジングの一面側から突設された壁部の先端に拡大された頭部が形成され該頭部の壁部側にテーパ部を有する第１係合突起と、一方のコネクタハウジングの一面側に対向する他方のコネクタハウジングの他面側に設けられて前記コネクタハウジング同士が積層された状態で前記テーパ部が係止する第１係止部とからなる第１の連結手段と、コネクタハウジングのいずれか一方の一面側に設けられて鉤部を有する第２係合突起と、コネクタハウジングのいずれか一方の一面側に対向する他方のコネクタハウジングの他面側に設けられてコネクタハウジング同士が積層された状態で前記鉤部が係止され係合方向に対して直交する係止面を有する第２係止部とからなる第２の連結手段とを備え、前記第１の連結手段と前記第２の連結手段とが隣接した状態で前記コネクタハウジングの前端側及び後端側にそれぞれ設けられ、コネクタハウジングの前端側の第１の連結手段はコネクタハウジングの幅方向に沿って長く形成され、前端側の第２の連結手段は前記第１の連結手段の幅方向の両側部に形成され、コネクタハウジングの後端側の第１の連結手段と後端側の第２の連結手段はコネクタハウジングの長さ方向に沿って長く形成されていることを特徴とする。
【０００８】
このコネクタの連結構造では、複数のコネクタハウジングを積層すると第１の連結手段と第２の連結手段とにより、コネクタハウジング同士が連結され、合体される。この場合、第１の連結手段は、第１係合突起のテーパ部が第１係止部に係止されるいわゆるアリ溝式の係合手段なので、コネクタハウジング同士をがたつき無く連結する。また、第２の連結手段は、第２係合突起の鉤部が第２係止部の係止面に係止されるいわゆる通常の連結手段なので、積層されたコネクタハウジング同士を強固に連結する。従って、第１の連結手段と第２の連結手段とにより、コネクタハウジング同士をがたつきなくかつ強固に保持することができる。
【００１０】
また、このコネクタの連結構造では、積層されたコネクタハウジング同士を引き剥がそうとする外力がいずれの方向から作用しても、コネクタハウジングの前端側及び後端側にそれぞれ、第１の連結手段と第２の連結手段とを隣接した状態で配置したことにより、コネクタハウジング同士が離れることがない。
【００１２】
また、このコネクタの連結構造では、前端側の第１の連結手段が幅方向に長く、後端側の第２の連結手段が長さ方向に沿って長く形成されているので、前端側の第１の連結手段の第１係合突起と第１係止部との係止部分、後端側の第２の連結手段の第２係合突起と第２係止部との係止部分が多くなるので、外力に対する抵抗範囲が大きくなり、がたつきの防止及び保持力をより向上することができる。
【００１３】
【発明の実施の形態】
以下、図面に基づいて本発明の一実施形態を説明する。図１はコネクタハウジング２を示す斜視図であり、図２はコネクタハウジング２の正面図である。また、図３は、図１、図２に示すコネクタハウジング２と同形状のコネクタハウジング３、４を積層し合体した状態のコネクタ１を示す断面図である。
【００１４】
図１乃至図３に示すように、コネクタハウジング２は、ハウジング本体５の上面側に複数の端子収容溝６が並行に形成されている。これらの端子収容溝６内にはそれぞれ圧接端子７が収容されている。この圧接端子７には、電線８がそれぞれ圧接部に接続されている。また、圧接端子７には、上方へ折り曲げられた起立端子部７ａが形成されている。この起立端子部７ａは、図３に示すように、複数のコネクタハウジング２、３、４を積み重ねて合体させた状態で、上方に位置するコネクタハウジング３あるいはコネクタハウジング４に収容された圧接端子７と接続される。
【００１５】
また、複数のコネクタハウジング２、３、４は（図３では、３段）、接合面１３、１５が接合された状態で積み重ねられ、コネクタハウジング２、３の前端側の第１の連結手段１１と第２の連結手段１２、後端側の第１の連結手段３１と第２の連結手段３２とでコネクタハウジング２、３同士及びコネクタハウジング３、４同士が連結され合体される。また、前端側の第１の連結手段と第２の連結手段、後端側の第１の連結手段と第２の連結手段とは、それぞれ隣接した状態でコネクタハウジング２、３あるいはコネクタハウジング３、４の前端側及び後端側にそれぞれ設けられている。
【００１６】
最初にコネクタハウジング２、３の前端側に設けられた第１の連結手段１１と第２の連結手段１２について説明する。なお、コネクタハウジング３、４との間も、第１の連結手段１１、３１、第２の連結手段１２、３２により連結される。
【００１７】
第１の連結手段１１は、図４（ａ）に示すように、積層されるコネクタハウジングの一方（下段側のコネクタハウジング２）の接合面１３から突設された第１係合突起１４と、他方のコネクタハウジング（上段側のコネクタハウジング３）の接合面１５に設けた第１係止部１６とで構成されている。第１係合突起１４は、図４（ａ）及び図５（ａ）に示すようにコネクタハウジング２の側壁１７、１８間（図１参照）であって、コネクタハウジング２の前端側に立設された土手状の壁部１９と、この壁部１９の先端に一体に設けられ拡大された頭部２０と、頭部２０の壁部１９側に設けられたテーパ部２１とを有している。頭部２０の先端側には、案内斜面２０ａが設けられている。第１係止部１６は、コネクタハウジング２の接合面１３側に対向するコネクタハウジ３の接合面１５に開口する第１係止孔２２からなる。この第１係止孔２２の奥方には、係止縁部２３が形成されている。また、第１係止孔２２の開口縁部には、上記案内斜面２２ａが摺動する斜面２２ａが形成されている。さらに、第１係合突起１４と第１係止部１６とは、コネクタハウジング２の幅方向に沿って長く形成されている。
【００１８】
そして、コネクタハウジング２、３同士を積層した状態では、図５（ａ）に示すように、下段側のコネクタハウジング２の接合面１３から突設された第１係合突起１４が、上段側のコネクタハウジング３の接合面１５に設けられた第１係止孔２２に挿入され、テーパ部２１が第１係止孔２２の係止縁部２３引っ掛かることにより、上下のコネクタハウジング２、３同士ががたつきなく連結される。
【００１９】
この場合、第１の連結手段１１は、いわゆるアリ溝構造の連結手段であり、テーパ部２１が係止縁部２３に引っ掛かることにより、下段のコネクタハウジング２を上段のコネクタハウジング３側へ引きつける力が発生し、この力によって、下段側のコネクタハウジング２が上段側のコネクタハウジング３にがたつきなく積層される。また、第１係合突起１４と第１係止部１６とが、コネクタハウジング２、３の幅方向に沿って長く形成されているので、係止部分を大きくすることができ、その分外力に対する抵抗範囲が大きくなり保持力を向上することができる。
【００２０】
第２の連結手段１２は、積層されるコネクタハウジングの一方（下段側のコネクタハウジング２）の接合面１３に設けた第２係合突起２４と、他方のコネクタハウジング（上段側のコネクタハウジング３）に設けられた第２係止部２６とで構成されている。第２係合突起２４は、図４（ｂ）及び図５（ｂ）に示すように、壁部１９の幅方向の両側部（図１参照）からコネクタハウジング２の前端側に向けて突設された鉤部２７を有している。第２係止部２６は、コネクタハウジング２の接合面１３側に対向するコネクタハウジング３の接合面１５に開口する第２係止孔２８からなる。この第２係止孔２８の奥方向には、鉤部２７が係止される係止面２９が形成されている。この係止面２９は、第２係合突起２４と第２係止部２６との係合方向に対して直交する方向に沿って形成されている。
【００２１】
そして、コネクタハウジング２、３同士を積層した状態では、図５（ｂ）に示すように、下段側のコネクタハウジング２の接合面１３から突設された第２係合突起２４が、上段側のコネクタハウジング３の接合面１５に設けられた第２係止孔２８に挿入され、鉤部２７がが第２係止孔２８の係止面２９に引っ掛かることにより、上下のコネクタハウジング２、３同士が連結される。
【００２２】
この場合、第２の連結手段１２は、通常の連結手段であり、第１の連結手段１１と異なって、テーパ部が係止縁部に係止される構造ではなく、鉤部２７が係止面２９に引っ掛かかることで、コネクタハウジング２、３同士が単に連結される構造の連結手段である。従って、保持力を確保することができる。
【００２３】
次に、コネクタハウジング２、３、４の後端側に設けた第１の連結手段３１、第２の連結手段３２について説明する。
【００２４】
コネクタハウジング２、３の後端側に設けた第１の連結手段３１は、積層されるコネクタハウジングの一方（下段側のコネクタハウジング２）の接合面１３から突設された第１係合突起３４と、他方のコネクタハウジング（上段側のコネクタハウジング３）の接合面１５に設けた第１係止部３６とで構成されている。
【００２５】
第１係合突起３４は、図１、図６（ａ）及び図７（ａ）に示すようにコネクタハウジング２の後端側であって幅方向の両側にそれぞれ設けられている。ここでは、コネクタハウジング２の幅方向の一方の側部の第１係合突起３４について説明する。第１係合突起３４は、壁部３３と、この壁部３３の先端に一体に設けられ拡大された頭部４０と、頭部４０の壁部３３、３３側に設けられたテーパ部４１とを有している。第１係止部３６は、コネクタハウジング２の接合面１３側に対向するコネクタハウジング３の接合面１５に開口する第１係止孔４２からなる。この第１係止孔４２の奥方には、係止縁部４３が形成されている。
【００２６】
そして、コネクタハウジング２、３同士を積層した状態では、図７（ａ）に示すように、下段側のコネクタハウジング２の接合面１３から突設された第１係合突起３４が、上段側のコネクタハウジング３の接合面１５に設けられた第１係止部３６に挿入され、テーパ部４１が第１係止孔４２の係止縁部４３に引っ掛かることにより、上下のコネクタハウジング２、３同士ががたつきなく連結される。
【００２７】
この場合、第１の連結手段３１は、いわゆるアリ溝構造の連結手段であり、テーパ部４１が係止縁部４３に引っ掛かることにより、下段のコネクタハウジング２を上段のコネクタハウジング３側へ引きつける力が発生し、この力によって、下段側のコネクタハウジング２が上段側のコネクタハウジング３にがたつきなく積層される。
【００２８】
第２の連結手段３２は、積層されるコネクタハウジングの一方（上段側のコネクタハウジング３）の接合面１５から突設された第２係合突起４４と、他方のコネクタハウジング（下段側のコネクタハウジング２）に設けられた第２係止部４６とで構成されている。第２係合突起４４は、図２及び図６（ｂ）に示すように、コネクタハウジング３の後端側であって幅方向の両側部にそれぞれ設けられている。ここでは、コネクタハウジング３の幅方向の一方の側部の第２係合突起４４について説明する。第２係合突起４４は、接合面１５から突設された壁部４５と、この壁部４５からコネクタハウジング３の外側に向けて突設された鉤部４７で形成されている。第２係止部４６は、コネクタハウジング３の接合面１５に対向するコネクタハウジング２の接合面１３側であって、コネクタハウジング２の後端側の幅方向の両側に形成された第２係止孔部４８からなる。この第２係止孔部４８の内側には、第２係合突起４４と第２係止部との係合方向に対して直交する方向に沿う係止面４９が形成されている。
【００２９】
そして、コネクタハウジング２、３同士を積層した状態では、図７（ｂ）に示すように、下段側のコネクタハウジング２の第２係止孔部４８内に、上段側のコネクタハウジング３の第２係合突起４４が挿入され、鉤部４７が係止面４９に引っ掛かることにより、コネクタハウジング２、３同士が連結される。
【００３０】
この場合、第２の連結手段３２は、通常の連結手段であり、第１の連結手段３１と異なって、テーパ部が係止縁部に係止される構造ではなく、鉤部４７が係止面４９に引っ掛かかることで、コネクタハウジング２、３同士が単に連結される構造の連結手段である。
【００３１】
本実施形態によれば、複数のコネクタハウジング２，３、４を積層するとコネクタハウジング２、３、４の前端側の第１の連結手段１１、第２の連結手段１２、後端側の第１の連結手段３１、第２の連結手段３２により、コネクタハウジング２、３、４同士が連結され合体される。この場合、第１の連結手段１１、３１は、第１係合突起１４、３４のテーパ部２１、４１が第１係止部１６、３６にそれぞれ係止されるいわゆるアリ溝式の連結手段なので、コネクタハウジング２、３、４同士をがたつき無く連結する。また、第２の連結手段１２、３２は、第２係合突起２４、４４の鉤部２７、４７が第２係止部２６、４６の係止面２９、４９にそれぞれ係止されるいわゆる通常のロック手段なので、積層されたコネクタハウジング同士を強固に連結する。従って、第１の連結手段１１、３１と第２の連結手段１２、３２とにより、がたつきなくかつ強固に保持することができる。
【００３２】
また、積層されたコネクタハウジング２、３、４同士を引き剥がそうとする外力がいずれの方向から作用しても、コネクタハウジング２、３、４の前端側及び後端側にそれぞれ、第１の連結手段１１と第２の連結手段１２、第１の連結手段３１と第２の連結手段３２とを隣接した状態で配置したことによりコネクタハウジング２、３、４同士が不用意に離れることがない。
【００３３】
さらに、前端側の第１の連結手段１１がコネクタハウジング２、３、４の幅方向に沿って長く形成され、後端側の第２の連結手段３２がコネクタハウジングの長さ方向に沿って長く形成されているので、第１係合突起１４と第１係止部１６との係止部分、第２係合突起４４と第２係止部４６との係止部分が多くなるので、外力に対する抵抗範囲が大きくなり、がたつきの防止及び保持力をより向上することができる。
【００３４】
【発明の効果】
以上説明したように請求項１に記載の発明によれば、第１の連結手段がいわゆるアリ溝式の係合手段なので、コネクタハウジング同士をがたつき無く連結する。また、第２の連結手段は、第２係合突起の鉤部が第２係止部の係止面に係止される、いわゆる通常のロック手段なので、積層されたコネクタハウジング同士を強固に連結する。従って、第１の連結手段と第２の連結手段とにより、がたつきなくかつ強固に保持することができる。
【００３５】
また、積層されたコネクタハウジング同士を引き剥がそうとする外力がいずれの方向から作用しても、コネクタハウジングの前端側及び後端側にそれぞれ、第１の連結手段と第２の連結手段とを隣接した状態で配置したことにより、コネクタハウジング同士が離れることがない。
【００３６】
また、前端側の第１の連結手段が幅方向に沿って長く形成され、後端側の第２の連結手段が長さ方向に沿って長く形成されているので、第１係合突起と第１係止部との係止部分、第２係合突起と第２係止部との係止部分が多くなるので、外力に対する抵抗範囲が大きくなり、がたつきの防止及び保持力をより向上することができる。
【図面の簡単な説明】
【図１】本発明の一実施形態のコネクタハウジングの全体斜視図である。
【図２】本発明の一実施形態のコネクタハウジングの正面図である。
【図３】コネクタハウジング同士を積層し合体したコネクタを示す断面図である。
【図４】（ａ）はコネクタハウジング同士を積層する前の状態を示し図２のＡ−Ａ線に沿って切断した断面図、（ｂ）はコネクタハウジング同士を積層する前の状態を示し図２のＢ−Ｂ線に沿って切断した断面図である。
【図５】（ａ）はコネクタハウジングの前端側の第１の連結手段を示しコネクタハウジング同士を積層した状態を示す断面図、（ｂ）はコネクタハウジングの前端側の第２の連結手段を示しコネクタハウジング同士を積層した状態を示す断面図である。
【図６】（ａ）はコネクタハウジングの後端側の第１の連結手段を示し図２のＣ−Ｃ線に沿って切断した断面図、（ｂ）はコネクタハウジングの後端側の第２の連結手段を示し図１のＤ−Ｄ線に沿って切断した断面図である。
【図７】（ａ）はコネクタハウジングの後端側の第１の連結手段を示しコネクタハウジング同士を積層した状態を示す断面図、（ｂ）はコネクタハウジングの後端側の第２の連結手段を示しコネクタハウジング同士を積層した状態を示す断面図である。
【図８】従来例の斜視図である。
【符号の説明】
２、３、４  コネクタハウジング
１１、３１  第１の連結手段
１２、３２  第２の連結手段
１３、１５  接合面
１４，３４  第１係合突起
１６、３６  第１係止部
２１、４１  テーパ部
２４、４４  第２係合突起
２６、４６  第２係止部
【図１】
0003681601.tif 000002
【図２】
0003681601.tif 000003
【図３】
0003681601.tif 000004
【図４】
0003681601.tif 000005
【図５】
0003681601.tif 000006
【図６】
0003681601.tif 000007
【図７】
0003681601.tif 000008
【図８】
0003681601.tif 000009